(57)【要約】      （修正有）【課題】電子カード固定部品は、電子カードを特定の位置に固着して、電気的に接続することが不良であることを防止することだけでなく、固定部品の構成強度を向上して、掛合力を増大し、また、当該固定部品により、電子カード上のグランド回路に、グランドするためのショートカットを提供する。【解決手段】金属付勢アーム付き電子カード固定部品であり、電子カードを掛合するために、回路基板上に配置され、当該電子カード固定部品は、互いに対応するように設置される固定座１、１２からなり、当該固定座は、それぞれに、規制部を有する付勢アーム１１と、結合部と付勢アームの一端と接続する固定部を有する底縁とから構成され、また、当該付勢アームと固定部と接続すれば、当該付勢アームには、往復する弾力を持たせる。【選択図】図１
0003101791.tif 000002
【実用新案登録請求の範囲】
【請求項１】
電子カードを掛合する目的に回路基板上に配置され、当該電子カード固定部品は、互いに対応するように設置される固定座からなる、金属付勢アーム付き電子カード固定部品であって、
当該固定座は、それぞれに、
規制部が設置される、付勢アームと、
上記付勢アームと接続され、底縁には、一つや一つ以上の結合部があり、また、やや外へ傾斜する延在部があり、当該延在部には、接続部が延在し、当該接続部により、上記付勢アームと接続され、接続された後、当該接続部は、当該付勢アームに、往復する弾力を持たせる、固定部と、を有する
ことを特徴とする金属付勢アーム付き電子カード固定部品。
【請求項２】
当該付勢アームと当該固定部は、金属材料から一体成型され、当該固定座が、グランドする機能を有する、ことを特徴とする、請求項１に記載の金属付勢アーム付き電子カード固定部品。
【請求項３】
当該規制部は、上反りに突出する、ことを特徴とする、請求項１に記載の金属付勢アーム付き電子カード固定部品。
【請求項４】
当該一つや一つ以上の結合部の両側には、それぞれにフックがあり、当該固定部は、穿板方式で回路基板上に固定配置される、ことを特徴とする、請求項１に記載の金属付勢アーム付き電子カード固定部品。
【請求項５】
当該一つや一つ以上の結合部は、表面黏著技術により、回路基板上に固定配置される、ことを特徴とする、請求項１に記載の金属付勢アーム付き電子カード固定部品。
【考案の詳細な説明】
【技術分野】
【０００１】
本考案は、金属付勢アーム付き電子カード固定部品に関し、特に、当該電子カード固定部品に、電子カードを特定の位置に固着させ、電気的に接続することが不良であることを防止することだけでなく、本考案の固定部品の構成強度を向上して、掛合力を増大し、また、当該固定部品により、電子カード上のグランド回路に、グランドするためのショートカットを提供するものに関する。
【背景技術】
【０００２】
一般的な従来者として、特許文献１に記載されている「電子カード固定構造」は、回路基板上に配置され、
上記回路基板上に設けられ、絶縁主体と、当該絶縁主体の先端に形成されるスロットとを有し、当該スロットの開口に複数の端子が設置される、接続器と、
先端が、当該スロット内に挿入され、掛合部がある、電子カードと、
プラスチック材料から一体成型され、上へ延在するフック部があり、当該接続器と分離して上記回路基板上に配置され、当該フック部が当該掛合部に掛合することにより、電子カードを固定する、少なくとも一つのフック状部品と、を有する電子カード固定構造である。
【特許文献１】台湾特許公報公告第545747号公報
【０００３】
上記の、従来の「電子カード固定構造」は、当該フック状部品のフック部が当該電子カードの掛合部に掛合することにより、電子カードを固定することができるが、当該固定構造は、プラスチック材料から構成され、使用する時、強制的に押し込む方式により、電子カードが当該フック状部品の中に制限されるが、従来の固定構造は、フック状部品上にある小さい面積のフック部で当該電子カードの一端の掛合部と掛合するため、容易に、電気的に接続不良が発生し、多数回使用(取り付けと取り外し)された後、プラスチック材料の強度により、電子カード或いはフック状部品に摩損や断裂等の問題が起こり、また、取替えも困難であり、そして、当該電子カードが震動を受けた時、電子カードが上へ付勢され、また、従来の固定構造は、プラスチック材料から構成されるため、当該回路基板上にグランド回路がある時、当該フック状部品によりグランドすることができない。
【０００４】
ゆえに、上記の従来の「電子カード固定構造」には、電気的に接続不良、掛合力が不足、及びグランド回路なしのため、使用者の需要を満足できない。
【考案の開示】
【考案が解決しようとする課題】
【０００５】
本考案の主な目的は、当該電子カード固定部品により、電子カードを特定の位置に固着させ、電気的に接続不良を防止することにある。
【０００６】
本考案のもう一つの目的は、固定部品の構成強度を強化して、掛合力を増大することにある。
【０００７】
本考案のさらにもう一つの目的は、本考案の固定部品により、電子カード上のグランド回路に、グランドするショートカットを提供することにある。
【課題を解決するための手段】
【０００８】
請求項１に記載の本考案の金属付勢アーム付き電子カード固定部品は、電子カードを掛合する目的に回路基板上に配置され、当該電子カード固定部品は、互いに対応するように設置される固定座からなる、金属付勢アーム付き電子カード固定部品であって、当該固定座は、それぞれに、規制部が設置される、付勢アームと、上記付勢アームと接続され、底縁には、一つや一つ以上の結合部があり、また、やや外へ傾斜する延在部があり、当該延在部には、接続部が延在し、当該接続部により、上記付勢アームと接続され、接続された後、当該接続部は、当該付勢アームに、往復する弾力を持たせる、固定部と、を有することを特徴とする。
【０００９】
また、請求項２に記載の本考案の金属付勢アーム付き電子カード固定部品は、上記請求項１において、当該付勢アームと当該固定部は、金属材料から一体成型され、当該固定座が、グランドする機能を有する、ことを特徴とする。
【００１０】
さらに、請求項３に記載の本考案の金属付勢アーム付き電子カード固定部品は、上記請求項１において、当該規制部は、上反りに突出する、ことを特徴とする。
【００１１】
又更に、請求項４に記載の本考案の金属付勢アーム付き電子カード固定部品は、上記請求項１において、当該一つや一つ以上の結合部の両側には、それぞれにフックがあり、当該固定部は、穿板方式で回路基板上に固定配置される、ことを特徴とする。
【００１２】
更にまた、請求項５に記載の本考案の金属付勢アーム付き電子カード固定部品は、上記請求項１において、当該一つや一つ以上の結合部は、表面黏著技術により、回路基板上に固定配置される、ことを特徴とする。
【考案の効果】
【００１３】
電子カード固定部品に、電子カードを特定の位置に固着させ、電気的に接続することが不良であることを防止することだけでなく、固定部品の構成強度を向上して、掛合力を増大し、また、当該固定部品により、電子カード上のグランド回路にグランドすることができる。
【考案を実施するための最良の形態】
【００１４】
図１、２は、本考案の立体外観概念図、本考案の上面視概念図である。図のように、本考案は、金属付勢アーム付き電子カード固定部品であり、電子カードを掛合する目的に回路基板上に配置され、当該電子カード固定部品は、二つの互いに対応するように設置される固定座１、１aからなり、当該二つの固定座１、１aは、それぞれに、付勢アーム１１、１１aと、固定部１２、１２aとから構成され、当該二つの固定座１、１aは、当該固定部１２、１２aにより、容易に回路基板２上に組み立てられ、また、当該付勢アーム１１、１１aにより、電子カード３が容易に上へ付勢されないことを達成し、また、簡単に取り替えることができ、そして、当該付勢アーム１１、１１a及び固定部１２、１２aは、金属材料を一体成型するもので、当該固定座１、１aに、グランドする機能を持たせる。
【００１５】
上記の付勢アーム１１、１１aにおいて、特定の位置に、規制部１３、１３aが設置され、当該規制部１３、１３aは、上反りに突出し、当該固定部１２、１２aの一端は、上記付勢アーム１１、１１aの一端に接続され、また、当該固定部１２、１２aの底縁には、一つや一つ以上の結合部１４、１４aがあり、当該一つや一つ以上の結合部１４、１４aの両側には、それぞれに、フック１４１、１４１aがあり、当該固定部１２、１２aの一端には、やや外へ傾斜する延在部１５、１５aがあり、また、当該延在部１５、１５aの一端には、接続部１６、１６aが延在し、当該接続部１６、１６aにより、上記付勢アーム１１、１１aの一端と接続され、これにより、上記の構成で、新らしい金属付勢アーム付き電子カード固定部品が構成される。
【００１６】
図３−１、３−２、３−３は、本考案の組み立て状態の概念図である。図のように、使用する場合、本考案の二つの固定座１、１aを回路基板２上に固定し、当該二つの固定座１、１aの間の距離は、電子カード３の両側の寸法により決められ、設置する時、当該付勢アーム１１、１１aの規制部１３、１３aを、互いに対応するように設置し、固定する時、固定部１２、１２aの底縁の一つや一つ以上の結合部１４、１４aに対応する、回路基板２上に設置される穴（図に表示せず）に、当該一つや一つ以上の結合部１４、１４aが、両側にそれぞれ設置されるフック１４１、１４１aにより掛合されることにより、当該一つや一つ以上の結合部１４、１４aにより当該固定部１２、１２aを回路基板２の穴に固着し、これにより、当該二つの固定座１、１aが、当該固定部１２、１２aにより、穿板式固定法で、容易に回路基板２上に組み立てられる効果が達成され、また、当該一つや一つ以上の結合部１４、１４aが、表面黏著技術により、当該固定部１２、１２aを非穿板式固定法で回路基板上に配置することもでき、使用者が電子カード３を挿入する時、まず、コンタクト部分３１がある当該電子カード３の一端を、斜めに回路基板２の接続器２１上に挿入してから、当該電子カード３を回路基板２の方向に下へ力を印加して、当該電子カード２を、付勢アーム１１、１１a上にある上反りに突出する規制部１３、１３aにコンタクトさせ、当該弧形曲線の特性に接続部１６、１６aを合わせて、当該付勢アーム１１、１１aに、往復する弾力を持たさせ、当該付勢アーム１１、１１aを電子カード３の外側へ付勢して、また、電子カード３が下へ押され、付勢アーム１１、１１a上の規制部１３、１３aより低い位置に着いた後、当該付勢アーム１１、１１aは、その往復の弾力により内へ縮めて、電子カード３が上へ付勢されることを制限する。
【００１７】
以上の説明のように、本考案の金属付勢アーム付き電子カード固定部品は、有効に従来の様々の欠陥を解消でき、電子カードの固定部品は、本考案により、より進歩的、実用的、かつ使用者の需要を満足できるため、実用新案の要件に符合すると認められ、法に従ってこの出願を提出する。
【００１８】
以上の説明は、ただ、本考案のよりよい実施例であり、本考案の実施範囲を制限するものではなく、また、本考案の実用新案登録請求の範囲や明細書内容に従って等価修正や変更も、本考案の実用新案登録請求の範囲に含まれている。
【図面の簡単な説明】
【００１９】
【図１】本考案実施例の立体外観概念図である。
【図２】本考案実施例の上面視概念図である。
【図３−１】本考案実施例の組み立て状態概念図である。
【図３−２】本考案実施例の組み立て状態概念図である。
【図３−３】本考案実施例の組み立て状態概念図である。
【符号の説明】
【００２０】
１、１a  固定座
１１、１１a  付勢アーム
１２、１２a  固定部
１３、１３a  規制部
１４、１４a  結合部
１４１、１４１a フック
１５、１５a  延在部
１６、１６a  接続部
２   回路基板
２１   接続器
３   電子カード
３１   コンタクト部分
【図１】
0003101791.tif 000003
【図２】
0003101791.tif 000004
【図３−１】
0003101791.tif 000005
【図３−２】
0003101791.tif 000006
【図３−３】
0003101791.tif 000007